(57)【特許請求の範囲】
【請求項１】
壁、窓枠又は天井に取外し可能に取付けられるヘッドレールと、このヘッドレールの両端に対向して配置された一対の支持プレートと、両端がこれらの支持プレートにより回転可能に支持された巻取パイプと、一端が前記ヘッドレールに固定され他端が前記巻取パイプに繰出し可能に巻取られかつ下端で折返されて二重に構成されたスクリーンと、前記スクリーンの折返し部に常に位置するように前記スクリーンに取付けられ前記スクリーンに張力を付与するウエイト部材と、前記巻取パイプを正転又は逆転させて前記スクリーンを繰出し又は巻取るために操作され前記スクリーンの左右いずれか一方に設けられた単一の操作チェーンとを備えたロールスクリーンにおいて、
前記ヘッドレールの前面及び後面にこのヘッドレールの長手方向に全長にわたって延びる一対のポケットがそれぞれ形成され、
前記巻取パイプの外周面にこの巻取パイプの長手方向に全長にわたって延びる凹条が形成され、
前記スクリーンの一端が前記一対のポケットのいずれかに第１固定部材を介して選択的に固定され、
前記スクリーンの他端が前記凹条に第２固定部材を介して固定された
ことを特徴とするロールスクリーンのスクリーン固定構造。
【請求項２】
前記第２固定部材が、前記凹条に挿入される挿入部と、この挿入部と一体的に設けられ可撓性を有しかつ前記凹条から突出するシート部と、前記スクリーンの他端を前記シート部に固定する面ファスナ又は両面粘着テープとを有する請求項１記載のロールスクリーンのスクリーン固定構造。
【請求項３】
前記ウエイト部材が、前記スクリーンの幅方向に延びてそれぞれ設けられた一対のウエイトバーと、これらのウエイトバーの両端にそれぞれ取付けられこれらのウエイトバーを所定の間隔をあけて互いに連結する左右一対のキャップとを有し、前記互いに連結された一対のウエイトバーの間に前記スクリーンが遊挿されるように構成された請求項１記載のロールスクリーンのスクリーン固定構造。
【発明の詳細な説明】
【技術分野】
【０００１】
本発明は、不透光部と透光部がスクリーンの巻取り方向に交互に連続して形成され下端で折返されて二重に構成されたスクリーンや、生地に孔あけ加工を施して図柄や模様があしらわれ下端で折返されて二重に構成されたスクリーン等を備えたロールスクリーンに関する。更に詳しくは、このロールスクリーンのスクリーンを固定する構造に関するものである。
【背景技術】
【０００２】
従来、天井又は壁に取付けられた上方端部支持バーの両端に対向して一対のブラケットが配置され、これらのブラケットに巻取ロッドの両端が回転可能に取付けられ、スプロケット部材を介して巻取ロッドを回転させるために調整コードが一方のブラケットと巻取ロッドの間に設けられ、更に透明部分と不透明部分とが交互に配置して設けられたブラインドシートの一端が巻取ロッドに固定されかつ他端が上方端部支持バーに固定された、採光を調整するためのブラインドが知られている（例えば、特許文献１参照。）。このブラインドでは、ブラインドシートに張力を付与する錘本体がブラインドシートの下方端部に設けられる。
【０００３】
このように構成されたブラインドでは、ブラインドシートの透明部分と不透明部分を整列させるか又はずらすことにより、前方ブラインドシートと後方ブラインドシートを迅速に調整することができる。この結果、室内の採光を効果的かつ素早く調整することができる。またロールタイプのブラインドの一端のみが巻取ロッド上に巻取られるか、或いは巻取ロッドから巻戻され、他端は支持バー上に固定されるので、ブラインドシートの透明部分と不透明部分との重なり合いを、精度良くかつ容易に調整できるようになっている。
【先行技術文献】
【特許文献】
【０００４】
【特許文献１】特開２００６−２９０７２号公報（請求項１、段落［００４９］、図４、図５）
【発明の概要】
【発明が解決しようとする課題】
【０００５】
上記従来の特許文献１に示されたブラインドでは、このブラインドを設置した後で調整コード（操作チェーン）の位置を変更する場合、上方端部支持バーを巻取ロッド及びブラインドシート（スクリーン）とともに左右反転させることにより、調整コードの位置を変更することができる。しかし、この場合、窓側に位置していたブラインドシートが上方端部支持バーの前後方向の幅分だけ室内側に移行するため、室内空間を狭める不具合があった。
【０００６】
本発明の第１の目的は、室内空間を狭めずに、操作チェーンを比較的簡単な作業でスクリーンの左右いずれか一方又は他方に位置するように変更でき、これにより操作チェーンの操作性を向上できる、ロールスクリーンのスクリーン固定構造を提供することにある。本発明の第２の目的は、スクリーンの他端をシート部に面ファスナ等で固定することにより、スクリーン他端の巻取りパイプの凹条への固定作業を比較的容易に行うことができる、ロールスクリーンのスクリーン固定構造を提供することにある。本発明の第３の目的は、操作チェーンをスクリーンの左右いずれか一方又は他方に位置するように変更する作業を、スクリーンからウエイト部材を取外さずに行うことができ、これにより上記操作チェーンの位置変更の作業性をより向上できる、ロールスクリーンのスクリーン固定構造を提供することにある。
【課題を解決するための手段】
【０００７】
本発明の第１の観点は、図１及び図５に示すように、壁、窓枠又は天井１３に取外し可能に取付けられるヘッドレール１４と、このヘッドレール１４の両端に対向して配置された一対の支持プレート１１，１２と、両端がこれらの支持プレート１１，１２により回転可能に支持された巻取パイプ１６と、一端がヘッドレール１４に固定され他端が巻取パイプ１６に繰出し可能に巻取られかつ下端で折返されて二重に構成されたスクリーン１７と、スクリーン１７の折返し部に常に位置するようにスクリーン１７に取付けられスクリーン１７に張力を付与するウエイト部材１８と、巻取パイプ１６を正転又は逆転させてスクリーン１７を繰出し又は巻取るために操作されスクリーン１７の左右いずれか一方に設けられた単一の操作チェーン１９とを備えたロールスクリーンにおいて、ヘッドレール１４の前面及び後面にこのヘッドレール１４の長手方向に全長にわたって延びる一対のポケット１４ｆ，１４ｇがそれぞれ形成され、巻取パイプ１６の外周面にこの巻取パイプ１６の長手方向に全長にわたって延びる凹条１６ａが形成され、スクリーン１７の一端が一対のポケット１４ｆ，１４ｇのいずれかに第１固定部材３１を介して選択的に固定され、スクリーン１７の他端が凹条１６ａに第２固定部材３２を介して固定されたことを特徴とする。
【０００８】
本発明の第２の観点は、第１の観点に基づく発明であって、更に図１及び図５に示すように、第２固定部材３２が、凹条１６ａに挿入される挿入部３２ａと、この挿入部３２ａと一体的に設けられ可撓性を有しかつ凹条１６ａから突出するシート部３２ｂと、スクリーン１７の他端をシート部３２ｂに固定する面ファスナ３２ｃ又は両面粘着テープとを有することを特徴とする。
【０００９】
本発明の第３の観点は、第１の観点に基づく発明であって、更に図１３〜図１６に示すように、ウエイト部材５０が、スクリーン１７の幅方向に延びてそれぞれ設けられた一対のウエイトバー５１，５２と、これらのウエイトバー５１，５２の両端にそれぞれ取付けられこれらのウエイトバー５１，５２を所定の間隔をあけて互いに連結する左右一対のキャップ５３とを有し、互いに連結された一対のウエイトバー５１，５２の間にスクリーン１７が遊挿されるように構成されたことを特徴とする。
【発明の効果】
【００１０】
本発明の第１の観点のロールスクリーンのスクリーン固定構造では、ヘッドレールの前面及び後面に一対のポケットをそれぞれ形成し、巻取パイプの外周面に凹条を形成し、スクリーンの一端を一対のポケットのいずれかに第１固定部材を介して選択的に固定し、更にスクリーンの他端を凹条に第２固定部材を介して固定するように構成する。操作チェーンをスクリーンの左右のいずれか一方から他方に移行するとき、先ずスクリーンの一端を一方のポケットに第１固定部材を介して固定することによりスクリーンをヘッドレールの前後方向の窓側に位置させ、操作チェーンをスクリーンの左右いずれか一方に位置した状態から、操作チェーンをスクリーンの左右いずれか他方に変更するときに、先ずウエイト部材をスクリーンから取外し、スクリーンの一端を一方のポケットから取外して、スクリーンを裏返す。次にスクリーンの一端を他方のポケットに第１固定部材を介して固定し、この状態でヘッドレールを支持プレート等とともに左右反転させる。更にスクリーンの下端にウエイト部材を取付ける。このとき、ヘッドレールの前後方向の窓側に位置していたスクリーンが、上記スクリーンの裏返し及びスクリーンの一端の他方のポケットへの固定により一旦室内側に位置するけれども、ヘッドレール等の左右反転により再び窓側に移行する。この結果、室内空間を狭めずに、操作チェーンを上記のような比較的簡単な作業でスクリーンの左右いずれか一方又は他方に位置するように変更でき、これにより操作チェーンの操作性を向上できる。
【００１１】
本発明の第２の観点のロールスクリーンのスクリーン固定構造では、スクリーンの他端をシート部に面ファスナ又は両面粘着テープにより固定したので、スクリーン他端の巻取りパイプの凹条への固定作業を比較的容易に行うことができる。
【００１２】
本発明の第３の観点のロールスクリーンのスクリーン固定構造では、左右一対のキャップにより互いに連結された一対のウエイトバーの間にスクリーンを遊挿したので、操作チェーンをスクリーンの左右いずれか一方又は他方に位置するように変更する作業を、スクリーンからウエイト部材を取外さずに、一対のウエイトバーの間にスクリーンを遊挿した状態で行うことができる。この結果、操作チェーンの位置変更の作業性をより向上できる。
【図面の簡単な説明】
【００１３】
【図１】本発明第１実施形態のロールスクリーンのスクリーン固定構造を示す図５のＡ−Ａ線断面図である。
【図２】スクリーンを巻取パイプから全て繰出した後に巻取りパイプを更にスクリーンの繰出し方向に回転させてスクリーンを逆方向に巻取る直前の状態を示す図６のＢ−Ｂ線断面図である。
【図３】スクリーンの一端を一方のポケットから取外してスクリーンを反転させた後に他方のポケットに固定した状態を示す図７のＣ−Ｃ線断面図である。
【図４】ヘッドレールを支持プレート、巻取りパイプ及びスクリーンとともに左右反転させた状態を示す図８のＤ−Ｄ線断面図である。
【図５】図１のＥ矢視図である。
【図６】図２のＦ矢視図である。
【図７】図３のＧ矢視図である。
【図８】図４のＨ矢視図である。
【図９】天井に取付けられたブラケットからロールスクリーンの支持バーを取外す手順を示す図５のＩ−Ｉ線断面図である。
【図１０】図５のＪ部拡大縦断面図である。
【図１１】図１０のＫ−Ｋ線断面図である。
【図１２】図１０のＬ矢視図である。
【図１３】本発明第２実施形態を示す図１０に対応する拡大縦断面図である。
【図１４】図１３のＭ−Ｍ線断面図である。
【図１５】図１３のＮ−Ｎ線断面図である。
【図１６】図１３のＰ矢視図である。
【発明を実施するための形態】
【００１４】
次に本発明を実施するための形態を図面に基づいて説明する。
【００１５】
＜第１の実施の形態＞
図１及び図５に示すように、ロールスクリーン１０は、天井１３に取外し可能に取付けられるヘッドレール１４と、このヘッドレール１４の両端に対向して配置された第１及び第２支持プレート１１，１２と、両端が第１及び第２支持プレート１１，１２により回転可能に支持された巻取パイプ１６と、一端がヘッドレール１４に固定され他端が巻取パイプ１６に繰出し可能に巻取られかつ下端で折返されて二重に構成されたスクリーン１７と、スクリーン１７の折返し部に常に位置するようにスクリーン１７に取付けられたウエイト部材１８と、巻取パイプ１６を正転又は逆転させてスクリーン１７を繰出し又は巻取るために操作される単一の操作チェーン１９とを備える。上記ヘッドレール１４は一対のブラケット２３，２３を介して天井１３に取付けられる。即ち、窓の上方に位置する天井１３には、ヘッドレール１４の全長より狭い間隔をあけて一対のブラケット２３，２３がビス２４によりそれぞれ取付けられ、これらのブラケット２３，２３に単一のヘッドレール１４が窓の幅方向に延びかつ天井１３に沿って取付けられ、更にこのヘッドレール１４の両端に互いに対向するように上記第１及び第２支持プレート１１，１２が取付けられる。上記ヘッドレール１４はアルミニウムやアルミニウム合金等の押出し成形又は引抜き成形などにより形成され、上記ブラケット２３，２３と第１及び第２支持プレート１１，１２は、鋼板のプレス成形により又は樹脂の成形などにより形成される。
【００１６】
一対のブラケット２３，２３には、ヘッドレール１４をこれらのブラケット２３，２３に着脱させるための着脱装置２６がそれぞれ設けられる（図１、図５及び図９）。ヘッドレール１４は、上面が開口する略チャンネル状に形成され、底壁１４ａと、この底壁１４ａに前後方向に所定の間隔をあけてそれぞれ起立する第１及び第２側壁１４ｂ，１４ｃとを有する（図９）。第１側壁１４ｂにはヘッドレール１４の内方に向って突出しかつ内方に開口する横断面略逆Ｃ字状の第１係合部１４ｄが設けられ、第２側壁１４ｃにはヘッドレール１４の内方に向って突出しかつ内方に開口する横断面逆Ｃ字状の第２係合部１４ｅが設けられる。着脱装置２６は、第１係合部１４ｄが係合可能に形成されかつブラケット２３に固定された第１被係合片２６ａと、第２係合部１４ｅが係合可能に形成されかつ第１被係合片２６ａに接近する方向に摺動可能にブラケット２３に取付けられた第２被係合片２６ｂと、第２被係合片２６ｂを第１被係合片２６ａから離す方向に付勢する圧縮コイルばね２６ｃと、第２被係合片２６ｂと一体的に設けられブラケット２３から突設されたレバー２６ｄとを有する。ここで、ヘッドレール１４を左右反転させることにより、ヘッドレール１４の第１係合部１４ｄが第２被係合片２６ｂに係合し、ヘッドレール１４の第２係合部１４ｅが第１被係合片２６ａに係合するようになっている（図４）。
【００１７】
ヘッドレール１４の前面及び後面には、このヘッドレール１４の長手方向に全長にわたって延びる第１及び第２ポケット１４ｆ，１４ｇがそれぞれ形成される（図１及び図９）。具体的には、第１ポケット１４ｆは、ヘッドレール１４の第１側壁１４ｂの外側に上面を内部より狭めた状態で開口するように形成され、第２ポケット１４ｇは、ヘッドレール１４の第２側壁１４ｃの外側に上面を内部より狭めた状態で開口するように形成される。また第１及び第２ポケット１４ｆ，１４ｇには単一の第１固定部材３１が選択的に挿入可能に構成される。この第１固定部材３１は、ポリスチレン等により、長さが巻取パイプ１６の長さと略同一であって、幅が上記第１及び第２ポケット１４ｆ，１４ｇの高さより狭い帯板状に形成される。そして上記第１固定部材３１にスクリーン１７の一端を巻付けた状態で第１固定部材３１を第１又は第２ポケット１４ｆ，１４ｇのいずれかに挿入することにより、スクリーン１７の一端が第１又は第２ポケット１４ｆ，１４ｇのいずれかに第１固定部材３１を介して選択的に固定される。
【００１８】
スクリーン１７には、透光部１７ａ及び不透光部１７ｂが巻取り方向に交互に連続して形成される（図１及び図５）。透光部１７ａ及び不透光部１７ｂは、この実施の形態では、それぞれ水平方向に延びて形成される。透光部１７ａは、光を透過可能なことを意味し、透明及び半透明の双方を含むものであり、生地の織組織を粗にすることにより通風も可能とされる。また透光部１７ａは光透過率４０〜９５％、好ましくは６０〜９５％のメッシュ状生地により形成される。ここで、透光部１７ａの光透過率を４０〜９５％の範囲内に限定したのは、４０％未満では所望の採光量が得られず、９５％を超えるとスクリーン１７の強度が低下してしまうからである。不透光部１７ｂは、光を透過不能なことを意味し、生地にアルミニウム等からなる金属箔を貼り付けることや、繊維の密度を上げることにより作られる。そして、スクリーン１７は、表面及び裏面がほぼ同一の色味及び質感に形成されることにより、両面とも意匠面として使用可能、即ち両面とも室内側に露出可能に構成される。
【００１９】
一方、巻取パイプ１６は断面円形の筒状に形成される（図１）。この巻取パイプ１６の一端は第１回転軸２１を介して第１支持プレート１１に回転可能に保持される（図５）。また巻取パイプ１６の他端は抵抗付与装置２７及び第２回転軸２２を介して第２支持プレート１２に一定の抵抗が付与された状態で回転可能に保持される。上記第２回転軸２２にはプーリ（図示せず）が嵌着され、このプーリに無端のリング状の操作チェーン１９が巻き掛けられる。これにより単一の操作チェーンは、スクリーンの左右いずれか一方に設けられる。更に操作チェーン１９の手前側又は後ろ側のいずれか一方を、抵抗付与装置２７による一定の抵抗に抗して引下げることにより、巻取パイプ１６は第１及び第２回転軸２１，２２を中心に回転し、スクリーン１７が巻取パイプ１６に巻取られて上昇したり、或いは繰出されて下降するように構成される（図１及び図５）。なお、上記抵抗付与装置２７は、スクリーン１７の自重及びこのスクリーン１７の下縁に取付けられたウエイト部材１８の自重によってスクリーン１７が繰出される方向に巻取パイプ１６が回転するのを阻止する機能を有する。また、巻取パイプ１６は、アルミニウムやアルミニウム合金等の押出し成形又は引抜き成形により形成される。
【００２０】
巻取パイプ１６の外周面にこの巻取パイプ１６の長手方向に全長にわたって延びる凹条１６ａが形成され、スクリーン１４の他端が凹条１６ａに第２固定部材３２を介して固定される（図１）。上記凹条１６ａは、巻取パイプ１６の外周面に露出し幅が狭く形成された狭隘溝部１６ｂと、この狭隘溝部１６ｂに連なり幅が上下に広く形成された幅広溝部１６ｃとを有する。また第２固定部材３２は、幅広溝部１６ｃに挿入される挿入部３２ａと、この挿入部３２ａと一体的に設けられ可撓性を有しかつ狭隘溝部１６ｂから突出するシート部３２ｂと、スクリーン１７の他端をシート部３２ｂに取付ける面ファスナ３２ｃとを有する。なお、第２固定部材３２の挿入部３２ａ及びシート部３２ｂは、ポリエチレンや塩化ビニール等のプラスチック、或いは天然ゴムや合成ゴム等のエラストマーなどにより形成される。
【００２１】
一方、ウエイト部材１８は、スクリーン１７に張力を付与するためにスクリーン１７の下端の折返し部に設けられる（図１及び図５）。このウエイト部材１８は、図１０〜図１２に詳しく示すように、スクリーン１７の幅より僅かに長い円筒状に形成されスクリーン１７の折返し部の内面に接触してこの内面を転動するウエイトバー１８ａと、このウエイトバー１８ａの両端にそれぞれ圧入され中心に挿入孔１８ｄが形成された一対の軸受１８ｂと、軸受１８ｂに対して相対回転可能に挿入孔１８ｄに挿入されかつ軸受１８ｂの端面を閉止するキャップ１８ｃとを有する。軸受１８ｂは、ウエイトバー１８ａに圧入されることによりウエイトバー１８ａに対して回転不能に構成される。またキャップ１８ｃの先端には弾性変形可能な一対の係止爪１８ｅ，１８ｅが突設され、これらの係止爪１８ｅ，１８ｅが軸受１８ｂの端面に相対回転可能に係止することによりウエイトバー１８ａから抜けないように構成される。但し、軸受１８ｂ及びキャップ１８ｃには、これらの長手方向に互いに連通して通孔１８ｆ及び透孔１８ｇがそれぞれ形成され、これらの孔１８ｆ，１８ｇに細長い工具（図示せず）を挿入することにより、軸受１８の先端面に係止しているキャップ１８ｃの一対の係止爪１８ｅ，１８ｅを軸受１８ｂの先端面から外せるようになっている。なお、図１〜図４及び図１２中の符号１８ｈはウエイトバー１８ａの外周面に円周方向に所定の間隔をあけかつ長手方向に延びて形成された複数の凹溝である。これらの凹溝１８ｈは、ウエイトバー１８ａがスクリーン１７内面を滑らずに確実に転動するために形成される。また、図１〜図４及び図１０〜図１２中の符号１８ｉは、キャップ１８ｃの下部からスクリーン１７の折返し部の下面を隙間をあけて覆うように突設された回転阻止部である。この回転阻止部１８ｉはキャップ１８ｃが軸受１８ｂ及びウエイトバー１８ａとともに回転するのを阻止するために設けられる。
【００２２】
このように構成されたロールスクリーン１０の天井１３への取付方法を図１及び図５に基づいて説明する。先ずヘッドレール１４の両端に第１及び第２支持プレート１１，１２を取付け、これらの支持プレート１１，１２間に巻取パイプ１６を取付ける。このとき巻取パイプ１６の凹条１６ａに第２固定部材３２の挿入部３２ａを予め挿入しておくとともに、操作チェーン１９をプーリに巻き掛けておく。次に第１固定部材３１にスクリーン１７の一端を巻付けた状態で第１固定部材３１をヘッドレール１４の第１ポケット１４ｆに挿入することにより、スクリーン１７の一端を第１ポケット１４ｆに第１固定部材３１を介して固定し、スクリーン１７の他端を第２固定部材３２のシート部３２ｂに面ファスナ３２ｃを介して取付けることにより、スクリーン１７の他端を凹条１６ａに第２固定部材３２を介して固定する。更に一対のブラケット２３，２３を所定の間隔をあけて天井１３にビス２４により固定し、これらのブラケット２３，２３に着脱装置２６を介して上記ヘッドレール１４を取付ける。このとき第１固定部材３１をヘッドレール１４の前後方向の窓側に位置させるとともに、操作チェーン１９を室内側から見てスクリーン１７の右側に位置させる。これでロールスクリーン１０の天井１３への取付作業が完了する。
【００２３】
次に操作チェーン１９をスクリーン１７の右側から左側に移行するためにロールスクリーン１０を反転させる作業を説明する。図５に示すように、操作チェーン１９がスクリーン１７の右側に位置していたけれども、部屋の模様替え等を行ったことにより、操作チェーン１９をスクリーン１７の左側に移行する必要が生じた場合、先ず操作チェーン１９を操作してスクリーン１７をほぼ全て繰出した後に（図１、図２、図５及び図６）、ウエイト部材１８をスクリーン１７から取外す。この状態でスクリーン１７の一端を第１固定部材３１とともにヘッドレール１７の第１ポケット１４ｆから引抜いて取外す。次にスクリーン１７を裏返して、スクリーン１７の一端を第１固定部材３１とともにヘッドレール１４の第２ポケット１４ｇに挿入することにより、スクリーン１７の一端を第２ポケット１４ｇに第１固定部材３１を介して固定した後に、スクリーン１７の折返し部にウエイト部材１８を取付ける（図３及び図７）。この状態で着脱装置２６のレバー２６ｄを押込んで、ヘッドレール１４を一対のブラケット２３，２３から取外した後に、ヘッドレール１４を第１及び第２支持プレート１１，１２等とともに左右反転させて、再び一対のブラケット２３，２３に着脱装置２６を介してヘッドレール１４を第１及び第２支持プレート１１，１２等とともに取付ける（図４及び図８）。これにより第１固定部材３１はヘッドレール１４の前後方向の窓側に位置するとともに、操作チェーン１９が室内側から見てスクリーン１７の左側に位置する。更に操作チェーン１９を操作して、操作チェーン１９をそのまま繰出し方向に操作することにより、スクリーン１７を巻取パイプ１６に逆方向に巻取る。このような比較的簡単な作業で操作チェーン１９をスクリーン１７の左側に位置するように変更でき、これにより操作チェーン１９の操作性を向上できる。なお、ヘッドレール１４の前後方向の窓側に位置していたスクリーン１７が、上記スクリーン１７の裏返し及びスクリーン１７の一端の第２ポケット１４ｇへの固定により一旦室内側に位置するけれども、ヘッドレール１４等の左右反転により再び窓側に移行するので、スクリーン１７により室内空間を狭めることはない。
【００２４】
＜第２の実施の形態＞
図１３〜図１６は本発明の第２の実施の形態を示す。図１３〜図１６において図１０〜図１２と同一符号は同一部品を示す。この実施の形態では、ウエイト部材５０が、スクリーン１７の幅方向に延びてそれぞれ設けられた一対のウエイトバー５１，５２と、これらのウエイトバー５１，５２の両端にそれぞれ取付けられこれらのウエイトバー５１，５２を所定の間隔をあけて互いに連結する左右一対のキャップ５３とを有する。そして、互いに連結された一対のウエイトバー５１，５２の間にスクリーン１７が遊挿されるように構成される。上記ウエイト部材５０は、第１の実施の形態のウエイト部材と同様に、スクリーン１７に張力を付与するためにスクリーン１７の下端の折返し部に設けられる（図１３及び図１６）。また一対のウエイトバー５１，５２は同一形状に形成され、左右一対のキャップ５３も同一形状に形成される。一対のウエイトバー５１，５２は、スクリーン１７の幅より僅かに長い円筒状にそれぞれ形成され、一対のウエイトバー５１，５２のいずれか一方がスクリーン１７の折返し部の内面に接触してこの内面を転動するように構成される。更にウエイトバー５１，５２の両端には、中心に挿入孔５１ａ，５２ａが形成された一対の軸受５４，５４がそれぞれ圧入される。これにより一対の軸受５４，５４はウエイトバー５１，５２に対して回転不能に構成される。
【００２５】
一方、キャップ５３は、略楕円板状に形成された単一のキャップ本体５３ａと、キャップ本体５３ａと一体的に設けられ互いに所定の間隔をあけて平行に突設された一対の円柱体５３ｂ，５３ｂと、これらの円柱体５３ｂ，５３ｂの先端面に所定の間隔をあけてそれぞれ２本ずつ突設された弾性変形可能な係止爪５３ｃとを有する。上記キャップ５３の一対の円柱体５３ｂ，５３ｂは、一対のウエイトバー５１，５２に圧入された軸受５４，５４に対して相対回転可能に挿入孔５１ａ，５２ａにそれぞれ挿入され、キャップ本体５３ａはこれらの軸受５４，５４の端面を閉止するように構成される。また上記係止爪５３ｃが軸受５４の端面に相対回転可能に係止することにより、キャップ５３が一対のウエイトバー５１，５２からそれぞれ抜けないように構成される。但し、軸受５４及びキャップ５３には、これらの長手方向に互いに連通して通孔５４ａ及び透孔５３ｄがそれぞれ形成され、これらの孔５４ａ，５３ｄに細長い工具（図示せず）を挿入することにより、軸受５４の先端面に係止しているキャップ５３の係止爪５３ｃを軸受５４の先端面から外せるようになっている。なお、図１６中の符号５１ｂ，５２ｂは、一対のウエイトバー５１，５２の外周面に円周方向に所定の間隔をあけかつ長手方向に延びてそれぞれ形成された複数の凹溝である。これらの凹溝５１ｂ，５２ｂは、ウエイトバー５１，５２がスクリーン１７内面を滑らずに確実に転動するために形成される。また、一対のウエイトバー５１，５２のうち、スクリーン１７が接触していない下側のウエイトバー５２が、第１の実施の形態の回転阻止部の機能、即ちキャップ５３が軸受５４及び上側のウエイトバー５１とともに回転するのを阻止する機能を有する。
【００２６】
このように構成されたロールスクリーンでは、左右一対のキャップ５３により互いに連結された一対のウエイトバー５１，５２の間にスクリーン１７を遊挿したので、操作チェーン１９をスクリーン１７の左右いずれか一方又は他方に位置するように変更する作業を、スクリーン１７からウエイト部材１８を取外さずに、一対のウエイトバー５１，５２の間にスクリーン１７を遊挿した状態で行うことができる。この結果、操作チェーン１９の位置変更の作業性を第１の実施の形態より向上できる。上記以外の動作は、第１の実施の形態の動作と略同様であるので、繰返しの説明を省略する。
【００２７】
なお、上記第１及び第２の実施の形態では、不透光部と透光部がスクリーンの巻取り方向に交互に連続して形成されたスクリーンを挙げたが、生地に孔あけ加工を施して図柄や模様をあしらったスクリーンや、通常の無模様生地又は模様付き生地からなるスクリーンでもよい。また、上記第１及び第２の実施の形態では、スクリーンの透光部及び不透光部をそれぞれ水平方向に延びて形成したが、透光部及び不透光部がスクリーンの巻取り方向に交互に連続して形成される、即ち透光部及び不透光部がスクリーンの上下方向に交互に規則的に連続して形成されるものであれば、透光部及び不透光部を斜め方向かつ互いに平行に延びて形成してもよく、或いは透光部及び不透光部を市松状又は千鳥状にそれぞれ配列してもよい。また、上記第１及び第２の実施の形態では、スクリーンの他端をシート部に面ファスナで固定したが、スクリーンの他端をシート部に両面粘着テープで固定してもよい。更に、上記第１及び第２の実施の形態では、ロールスクリーンの反転作業時に、スクリーンをほぼ全て繰出した後に、ウエイト部材をスクリーンから取外して、スクリーンの一端を第１固定部材とともにヘッドレールの第１ポケットからに引抜き、更にスクリーンを裏返して、スクリーンの一端を第１固定部材とともにヘッドレールの第２ポケットに挿入したが、スクリーンを全て繰出さずに所定の長さだけ繰出した状態で、上記作業を行ってもよい。この場合、スクリーンの反転作業が若干容易になる。但し、ロールスクリーンの反転作業が完了した後に、操作チェーンを操作してスクリーンを全て繰出し、更に繰出し方向と同一方向に操作チェーンを操作して、スクリーンを巻取パイプに逆方向に巻取る。この操作により、繰出されたスクリーンが巻取パイプより窓側に移行するので、スクリーンで室内空間が狭められることはない。
【符号の説明】
【００２８】
１０  ロールスクリーン
１１，１２  支持プレート
１３  天井
１４  ヘッドレール
１４ｆ，１４ｇ  ポケット
１６  巻取パイプ
１６ａ  凹条
１７  スクリーン
１８，５０  ウエイト部材
１９  操作チェーン
３１  第１固定部材
３２  第２固定部材
３２ａ  挿入部
３２ｂ  シート部
３２ｃ  面ファスナ
５１，５２  ウエイトバー
５３  キャップ
【図１】
0006324261.tif 000002
【図２】
0006324261.tif 000003
【図３】
0006324261.tif 000004
【図４】
0006324261.tif 000005
【図５】
0006324261.tif 000006
【図６】
0006324261.tif 000007
【図７】
0006324261.tif 000008
【図８】
0006324261.tif 000009
【図９】
0006324261.tif 000010
【図１０】
0006324261.tif 000011
【図１１】
0006324261.tif 000012
【図１２】
0006324261.tif 000013
【図１３】
0006324261.tif 000014
【図１４】
0006324261.tif 000015
【図１５】
0006324261.tif 000016
【図１６】
0006324261.tif 000017